(57)【要約】【課題】入退室者に同伴する者が、機密保持を必要とする建物内エリアへ入退室者と同時に入退室することを防止し、高い機密性を維持する入退室管理装置を提供する。【解決手段】入退室者の通行方向に延設され、通路を形成する一対の仕切り壁３ａ、３ｂと、前記通路の入口側と出口側に開閉可能に設けられ、前記入退室者の入退室を規制する外扉１および内扉２と、前記入退室者が個人情報を入力するための個人情報入力装置６とを備える。外扉１および内扉２の平断面は円周の１／４に相当する円弧形状をしており、外扉１および内扉２が前記通路中央を中心とする円周に沿って移動することにより（仕切り壁３ａ、３ｂ内を含む）、外扉１および内扉２の開閉を行う。前記通路に面する仕切り壁３ａ、３ｂには、前記通路の進行方向および高さ方向に人感センサ４が複数対向して配設されている。また、前記通路に面する仕切り壁３ａには非常押釦５が設置されている。【選択図】    図１
2005009080.tif 000002
【特許請求の範囲】
【請求項１】
入退室者が個人情報入力手段により入力した個人情報と、予め登録された前記入退室者の個人情報とを照合することにより、入退室者の入退室管理を行う入退室管理装置において、
前記入退室者の通行方向に延設され、通路を形成する一対の仕切り壁と、前記通路の入口側と出口側に開閉可能に設けられ、前記入退室者の入退室を規制する扉と、前記通路の進行方向に沿って複数配設された人感センサと、前記人感センサの検知結果に基づいて、前記入退室者に同伴して入退室する者の有無を判断し、前記扉の開閉を制御する制御手段とを備えることを特徴とする入退室管理装置。
【請求項２】
前記人感センサが、前記通路の進行方向および高さ方向に沿って複数配設されていることを特徴とする請求項１に記載の入退室管理装置。
【請求項３】
前記制御手段は、複数配設された前記人感センサのうち、前記通路の進行方向中央部の前記人感センサのみ入退室者を検知した場合に限り同伴者無しと判断して通行可とし、それ以外は全て通行不可とすることを特徴とする請求項１又は２に記載の入退室管理装置。
【請求項４】
前記通路内に重量センサを備えることを特徴とする請求項１乃至３のいずれかに記載の入退室管理装置。
【請求項５】
警報音を発する警報装置を備えることを特徴とする請求項１乃至４のいずれかに記載の入退室管理装置。
【発明の詳細な説明】
【０００１】
【発明の属する技術分野】
本発明は、機密保持を必要とする建物内エリアへの入退室を管理する入退室管理装置に関する。
【０００２】
【従来の技術】
機密保持を必要とする建物内エリアの多くはセキュリティ・システムが施されており、当該建物内エリアへの入退室を管理するために入退室管理装置が使用されている。例えば、特許文献１では、重要エリアにおいて、昼夜を問わず高い防犯性を保持し、且つ、入退室が許可されている者は煩雑な操作無しに入退室ができる入退室管理装置が示されている。
【０００３】
【特許文献１】
特開平１０−２７５２６３号公報（第２−４頁、第１図）
【０００４】
【発明が解決しようとする課題】
しかしながら、従来の入退室管理装置では、入退室者が、個人識別情報を使用して入退室しようとすると、当該入退室者に同伴する複数の同伴者も同時に入退室すること（以後、伴連れと呼ぶ。）が可能となるため、高い機密性を維持できず情報が漏洩する虞があった。これに対し、伴連れを防止するため、出入口の大きさを制限したり、出入口の床に重量センサを設置して重量管理を行っているが、比較的小さな人間の伴連れなどは見分けることができなかった。
本発明は、上述する問題点に鑑みてなされたもので、入退室者に同伴する者が、機密保持を必要とする建物内エリアへ入退室者と同時に入退室することを防止し、高い機密性を維持する入退室管理装置を提供することを目的とする。
【０００５】
【課題を解決するための手段】
上記目的を達成するため、本発明に係る入退室管理装置では、入退室者が個人情報入力手段により入力した個人情報と、予め登録された前記入退室者の個人情報とを照合することにより、入退室者の入退室管理を行う入退室管理装置において、前記入退室者の通行方向に延設され、通路を形成する一対の仕切り壁と、前記通路の入口側と出口側に開閉可能に設けられ、前記入退室者の入退室を規制する扉と、前記通路の進行方向に沿って複数配設された人感センサと、前記人感センサの検知結果に基づいて、前記入退室者に同伴して入退室する者の有無を判断し、前記扉の開閉を制御する制御手段とを備えることを特徴とする。この際、前記制御手段は、前記通路の進行方向に沿って複数配設された前記人感センサのうち、前記通路の進行方向中央部の前記人感センサのみ入退室者を検知した場合に限り同伴者無しと判断して通行可とし、それ以外は全て通行不可とすることが好適である。
本発明によれば、機密保持を必要とする建物内エリアへの伴連れを防止することにより、高い機密性を維持することができる。
また、本発明に係る入退室管理装置では、前記人感センサが、前記通路の進行方向および高さ方向に沿って複数配設されていてもよい。この際、前記制御手段は、前記通路の進行方向および高さ方向に沿って複数配設された前記人感センサのうち、前記通路の進行方向中央部の前記人感センサのみ入退室者を検知した場合に限り同伴者無しと判断して通行可とし、それ以外は全て通行不可とすることが好適である。
本発明によれば、前記通路の進行方向に加えて高さ方向にも前記人感センサを複数配設することにより、入退室者が、しゃがみこんだ場合にも伴連れを検知することができる。
また、本発明に係る入退室管理装置では、前記通路内に重量センサを備えていてもよい。前記重量センサが、規定重量以上の重量を検知した場合に、通路内に同伴者がいるものと判断し、通行不可とするものである。
本発明によれば、重量センサを併用することにより、より確実に伴連れを防止することができる。
また、本発明に係る入退室管理装置が、警報音を発する警報装置を備えていてもよい。入退室管理装置に異常が生じた場合や電気的又は機械的な故障により扉が開かなくなった場合などに前記警報装置が作動するものである。
【０００６】
【発明の実施の形態】
以下、本発明の実施形態を図面を参照して説明する。
図１は、本発明に係る入退室管理装置の実施形態の一例を示す立面図および平面図である。
この図に示すように、本実施形態による入退室管理装置は、入退室者の通行方向に延設され、通路を形成する一対の仕切り壁３ａ、３ｂと、前記通路の入口側と出口側に開閉可能に設けられ、前記入退室者の入退室を規制する外扉１および内扉２と、前記入退室者が個人情報を入力するための個人情報入力装置６とを備えている。
外扉１および内扉２の平断面は円周の１／４に相当する円弧形状をしており、外扉１および内扉２が前記通路中央を中心とする円周に沿って移動する（仕切り壁３ａ、３ｂ内を含む）ことにより、外扉１および内扉２の開閉を行う。
前記通路の幅は、５６０ｍｍ程度であり、大人の肩幅より幾分大きくすることで伴連れ防止を図っている。前記通路に面する仕切り壁３ａ、３ｂには、それぞれ、床から３５０ｍｍの高さに２５０ｍｍ間隔で人感センサ４Ｂ１〜４Ｂ３が３つ、床から１０００ｍｍの高さに６００ｍｍ間隔で人感センサ４Ｓ１〜４Ｓ２が２つ、床から１２４０ｍｍの高さに２２５ｍｍ間隔で人感センサ４Ｍ１〜４Ｍ３が３つ、床から１７５０ｍｍの高さに４００ｍｍ間隔で人感センサ４Ｔ１〜４Ｔ２が２つ、対向して配設されている。ここで、人感センサ４（以下、人感センサ４Ｔ１〜４Ｔ２、４Ｍ１〜４Ｍ３、４Ｓ１〜４Ｓ２、４Ｂ１〜４Ｂ３を総称して人感センサ４と呼ぶ。）は、前記通路内の入退室者に対して反応するものであればよく、例えば、赤外線センサや光電センサあるいは超音波センサなどが挙げられる。また、前記通路に面する仕切り壁３ａ上部には、入退室者が前記通路内に閉じ込められた際に外部に通報するための非常押釦５が設置されている。
個人情報入力装置６は、仕切り壁３ａ、３ｂの室外側および室内側それぞれの壁面に１台ずつ設置されている。個人情報入力装置６には、例えば、カード挿入方式、暗証番号入力方式、指紋照合方式などによる装置があるが、以下の説明においては、カード挿入方式による個人情報入力装置６を前提として説明する。
【０００７】
図２は、入退室管理装置の制御構成を示すブロック図である。なお、同図において、図１と同一の構成要素には同一の符号を用いて説明を省略する。
制御手段７は、仕切り壁３ａ、３ｂに配設された人感センサ４の検知結果に基づいて、入退室者に同伴して入退室する者の有無を判断し、外扉駆動装置１１および内扉駆動装置１２を介して外扉１および内扉２の開閉を制御する。また、制御手段７は、仕切り壁３ａ、３ｂに設置された非常押釦５および個人情報入力装置６の制御も併せて行う。
【０００８】
図３乃至図７は入退室管理装置の制御フローを示したものであり、図８は正常な入退室における扉の開閉動作を示したものである。以下、本実施形態による入退室管理装置の動作を、図３乃至図７の制御フローに基づきながら、図８の扉の開閉動作も参照しつつ説明する。
【０００９】
入退室者が個人情報入力装置６により入力した個人情報と、予め登録された前記入退室者の個人情報とを照合する以前に、外扉１および／または内扉２が開いている場合（ステップＳ１）、若しくは、人感センサ４が３秒以上遮光されている場合は（ステップＳ２）、リセット信号が入力されるまで（ステップＳ１０１）、警報装置が鳴動する（ステップＳ１００、Ｓ１０２）。
入退室者が個人情報入力装置６により入力した個人情報と、予め登録された前記入退室者の個人情報とが合致した場合は（ステップＳ３）、図８（２）に示すように、外扉１が開動作を開始する（ステップＳ４）。その際、外扉１の開動作が一定時間内に完了しない場合は（ステップＳ１７）、警報装置が鳴動し（ステップＳ２００）、機器異常を知らせるアナウンスが流れた後（ステップＳ２０１）、入退室管理装置の電源がＯＦＦになる（ステップＳ２０２）。
【００１０】
図８（３）に示すように、外扉１の開動作が完了し（ステップＳ５）、入退室者が前記通路中央にいる状態（以下、在室と呼ぶ。）が確認された場合は（ステップＳ６）、人感センサ４の検知結果に基づき伴連れ検知を開始する（ステップＳ７）。具体的には、人感センサ４Ｂ１または人感センサ４Ｂ２が遮光されることにより、入退室者が前記通路内に進入したものとみなし、人感センサ４Ｓ１および人感センサ４Ｓ２が遮光されない場合、入退室者が在室していると判断して伴連れ検知を開始する。
入退室者の在室が確認されずに５秒経過した場合は（ステップＳ１８）、外扉１の閉動作を開始する（ステップＳ１９）。前記通路内への進入者がいない場合は（ステップＳ２０）、外扉１の閉動作完了後（ステップＳ２１）、再び、入退室者の入退室管理を開始する。外扉１の閉動作が完了する前に前記通路内へ進入する者がいる場合は（ステップＳ２０）、前記通路から退出して最初から操作するように指示するアナウンスが流れた後（ステップＳ３００）、在室者の確認を行う（ステップＳ３０１）。在室者がいないことが確認されると外扉１の閉動作を開始する（ステップＳ３０３）。外扉１の閉動作が完了すると（ステップＳ３０２）、再び、入退室者の入退室管理を開始する。
伴連れ検知では（ステップＳ７）、前記通路の進行方向中央部の人感センサ４Ｍ３および／または人感センサ４Ｂ３のみ遮光され、他の人感センサが受光している場合のみ同伴者無しと判断し、これ以外は全て同伴者有りと判断する。
同伴者無しと判断し、外扉１が２５秒以上連続して開いていない場合は、入退室者が前記通路中央にいるかどうかの確認を行う（ステップＳ９）。入退室者が前記通路中央にいる場合は、図８（４）に示したように、外扉１の閉動作を開始する（ステップＳ１０）。入退室者が前記通路中央にいない場合は、前記通路中央に立つように指示するアナウンスが流れ（ステップＳ２２）、再度、伴連れ検知を行う（ステップＳ７）。
また、同伴者無しと判断し、外扉１が２５秒以上連続して開いている場合は（ステップＳ８）、前記ステップＳ３００〜前記ステップＳ３０３までの動作を行った後、入退室者の入退室管理を開始する。
一方、同伴者がいると判断した場合は、前記ステップＳ３００〜前記ステップＳ３０３までの動作を行った後、入退室者の入退室管理を開始する。
【００１１】
外扉１の閉動作が完了すると（ステップＳ１１）、図８（５）に示すように、入退室者が前記通路の中央にいて、外扉１と内扉２の両扉が閉められた状態となる。
次に、図８（６）に示すように、内扉２の開動作が開始する（ステップＳ１２）。その際、内扉２の開動作が一定時間内に完了しない場合は（ステップＳ２３）、前記ステップＳ２００〜前記ステップＳ２０２の動作を行う。
図８（７）に示すように、入退室者が前記通路内から退出し、前記通路内に在室者がいないことが確認された場合は（ステップＳ１４）、内扉２の閉動作を開始し（ステップＳ１５）、内扉２の閉動作が完了した時点で（ステップＳ１６）、次の入退室者の入退室管理に備える。一方、前記通路内に在室者が確認され、且つ、内扉２が２５秒以上連続して開いている場合は（ステップＳ２４）、退出を促すアナウンスが流れ（ステップＳ２５）、再度、前記通路内の在室者の確認を行う（ステップＳ１４）。
【００１２】
本実施形態による入退室管理装置では、入退室者に同伴する者が、機密保持を必要とする建物内エリアへ入退室者と同時に入退室することを防止し、高い機密性を維持することができる。
【００１３】
なお、本実施形態による入退室管理装置では、前記通路内の床に重量センサを敷設してもよい。重量センサが、規定重量以上の重量を検知した場合に、前記通路内に同伴者がいるものと判断し、通行不可とするものである。重量センサを併用することにより、より確実に伴連れを防止することができる。
【００１４】
【発明の効果】
以上説明したように、本発明によれば、入退室者に同伴する者が、機密保持を必要とする建物内エリアへ入退室者と同時に入退室することを防止し、高い機密性を維持することができる。
【図面の簡単な説明】
【図１】本発明に係る入退室管理装置の一例を示す立面図および平面図である。
【図２】入退室管理装置の制御構成を示すブロック図である。
【図３】入退室管理装置の制御フローを示す図である。
【図４】入退室管理装置の制御フローを示す図である。
【図５】入退室管理装置の制御フローを示す図である。
【図６】入退室管理装置の制御フローを示す図である。
【図７】入退室管理装置の制御フローを示す図である。
【図８】正常な入退室における扉の開閉動作を示す図である。
【符号の説明】
１……外扉
２……内扉
３ａ、３ｂ……仕切り壁
４、４Ｔ１〜４Ｔ２、４Ｍ１〜４Ｍ３、４Ｓ１〜４Ｓ２、４Ｂ１〜４Ｂ３……人感センサ
５……非常押釦
６……個人情報入力装置
７……制御手段
１１……外扉駆動装置
１２……内扉駆動装置
【図１】
2005009080.tif 000003
【図２】
2005009080.tif 000004
【図３】
2005009080.tif 000005
【図４】
2005009080.tif 000006
【図５】
2005009080.tif 000007
【図６】
2005009080.tif 000008
【図７】
2005009080.tif 000009
【図８】
2005009080.tif 000010